(57)【要約】【課題】  防水性を保ちつつ電池の交換が容易であり、しかも合鍵を内蔵して電池消耗時にも締め出されることがないリモコンを提供する。【解決手段】  一面にリモコン施解錠器の電装品を装着し、この一面の裏面となる他面にシリンダ錠の合鍵の収納部を形成した中ケース１と、夫々内面の肉を盗まれて浅い箱状に形成され、その開口端縁が中ケースの外辺に接合可能に成形された第１及び第２のシェル２７、３１とを有し、これら第１及び第２シェルの間に中ケース１を挟み、第１シェルの内面を中ケースの一面に、第２シェルの内面を中ケースの他面に夫々対向させる態様で、第１及び第２シェルを中ケースに一体的に、かつ取り外し可能に接合させる。【選択図】  図１４
2012021287.tif 000002
【特許請求の範囲】
【請求項１】
一面側にリモコン施解錠器の電装品を組み付けたプリント基板を装着し、上記一面の裏面となる他面にシリンダ錠の合鍵の収納部を形成した中ケースと、夫々内面の肉を盗まれて浅い箱状に形成され、その開口端縁が中ケースの外辺に接合可能に成形された第１及び第２のシェルとを有し、これら第１及び第２シェルの間に中ケースを挟み、第１シェルの内面をプリント基板を介して中ケースの一面に、第２シェルの内面を中ケースの他面に夫々対向させる態様で、第１及び第２シェルを中ケースに一体的に、かつ取り外し可能に接合させたものにおいて、上記電装品の電源となる電池を上記プリント基板の中ケースに対向する内面側に配設すると共に、この電池をプリント基板に着脱可能に固定するため、少なくとも１個の接触片を一面側に切り起こした脊板、この脊板の両側端縁に一体に、かつ接触片と同方向に折り曲げられた一対の袖板、これら一対の袖板の夫々の中央部に突設された差込片、及び脊板の上端及び下端縁の一方に一体に接続され、かつ袖板と同方向に折り曲げられたストッパー片とを有する水平断面コ字形で、導電材質の電池ホルダーを設け、上記一対の差込片の夫々を、プリント基板の両側端縁に形成された一対の切欠の対応するものに差し込み、差込片の先端部をプリント基板の外面側に突出させると共に、各差込片をプリント基板外面方向に折り曲げ、一方、各差込片の先端部及び／又は上記袖板の自由端縁をプリント基板に形成された電極に接続し、他方、電池ホルダーとプリント基板との間の水平断面矩形の空間内に、上記ストッパーとは反対方向から電池を挿入するようにしたことを特徴とするリモコン施解錠器。
【請求項２】
上記第１シェルと中ケースとの間に、プリント基板を覆うようにして、パッキン材を挿設したことを特徴とする請求項１記載のリモコン施解錠器。
【発明の詳細な説明】
【技術分野】
【０００１】
この発明は、遠隔施解錠器（以下単にリモコンという）に係り、特に、電池の交換が容易であってコンパクトであり、しかも合鍵を内蔵して電池消耗時にも締め出されることがないリモコンに関する。
【背景技術】
【０００２】
例えば自動車のドアの遠隔施解錠をするリモコンは既に周知である。このリモコンは、鍵の摘み部に電波発信機と施解錠スイッチとを備え、変調された電波を介して暗証番号を扉の受信部に搬送させ、ここで検波された暗証番号を基に解錠、或いは施錠信号を発生させるように構成されている。
【先行技術文献】
【非特許文献】
【０００３】
【非特許文献１】三協立山アルミ株式会社の製品カタログ
【発明の概要】
【発明が解決しようとする課題】
【０００４】
従来の鍵の摘み部に電波発信機や電池、或いは施解錠スイッチを内蔵させたものは、コンパクトであるという利点はあるものの、電池の容量が小さいので電池が消耗し易く、また、施解錠スイッチが小さいので操作がしにくい、等未だ改良の余地がある。
【０００５】
そこで、この発明は、従来のリモコンに関する発想を転換し、リモコンを少し大きくして内部空間に余裕を持って電気部品を配設すると共に、内側に合鍵を収納してしまうという技術的思想を有するものである。
【０００６】
また、この発明は、全体の形状が過小ではなくて操作がし易く、容量の大きな電池を内蔵することができるので１個の電池分の寿命が長く、しかも電池が消耗して補給ができない場合には、内蔵した鍵によって施解錠ができるリモコンを提供することを別の目的としている。
【課題を解決するための手段】
【０００７】
上記の目的を達成するため、請求項１に記載の発明は、一面側にリモコン施解錠器の電装品を組み付けたプリント基板を装着し、上記一面の裏面となる他面にシリンダ錠の合鍵の収納部を形成した中ケースと、夫々内面の肉を盗まれて浅い箱状に形成され、その開口端縁が中ケースの外辺に接合可能に成形された第１及び第２のシェルとを有し、これら第１及び第２シェルの間に中ケースを挟み、第１シェルの内面をプリント基板を介して中ケースの一面に、第２シェルの内面を中ケースの他面に夫々対向させる態様で、第１及び第２シェルを中ケースに一体的に、かつ取り外し可能に接合させたものにおいて、上記電装品の電源となる電池を上記プリント基板の中ケースに対向する内面側に配設すると共に、この電池をプリント基板に着脱可能に固定するため、少なくとも１個の接触片を一面側に切り起こした脊板、この脊板の両側端縁に一体に、かつ接触片と同方向に折り曲げられた一対の袖板、これら一対の袖板の夫々の中央部に突設された差込片、及び脊板の上端及び下端縁の一方に一体に接続され、かつ袖板と同方向に折り曲げられたストッパー片とを有する水平断面コ字形で、導電材質の電池ホルダーを設け、上記一対の差込片の夫々を、プリント基板の両側端縁に形成された一対の切欠の対応するものに差し込み、差込片の先端部をプリント基板の外面側に突出させると共に、各差込片をプリント基板外面方向に折り曲げ、一方、各差込片の先端部及び／又は上記袖板の自由端縁をプリント基板に形成された電極に接続し、他方、電池ホルダーと、プリント基板との間の水平断面矩形の空間内に、上記ストッパーとは反対方向から電池を挿入するようにしたことを特徴とする。
【０００８】
また、請求項２に記載の発明は、上記第１シェルと中ケースとの間に、プリント基板を覆うようにして、パッキン材を挿設したことを特徴とする。
【発明の効果】
【０００９】
上記のように構成された請求項１に記載の発明は、全体が適当に大きくて操作がし易いので、また、電池も容量の大きいものを採用できて寿命が長くなることも相俟って、遠隔施解錠器の使い勝手が向上する。
【００１０】
また、シリンダ錠の合鍵をリモコン内に収納して常時携帯できるため、電池の消耗時合鍵を用いてシリンダ錠を解錠すれば締め出されることもない。
【００１１】
更にまた、電池ホルダーはプリント基板をその構成材料として利用しているので、リモコンの厚さが過大にならず、加えて、電池の交換も容易である、等種々の効果を奏する。
【図面の簡単な説明】
【００１２】
【図１】中ケースの一面側を示す外観斜視図。
【図２】中ケースの他面側を示す外観斜視図。
【図３】電装品を組み付けたプリント基板の外面側の外観斜視図。
【図４】電装品を組み付けたプリント基板の正面図。
【図５】電装品を組み付けたプリント基板の側面図。
【図６】電池ホルダーの構成部材を展開して示す外観斜視図。
【図７】プリント基板の内面を示す正面図。
【図８】パッキンの正面側を示す外観斜視図。
【図９】パッキンの内面側を示す外観斜視図。
【図１０】第１シェルの内面側を示す外観斜視図。
【図１１】第１シェルの外面側を示す外観斜視図。
【図１２】第１シェルの縦断面図。
【図１３】第２シェルの外面側及び内面側を示す外観斜視図。
【図１４】組立った遠隔施解錠器の外観斜視図。
【発明を実施するための形態】
【００１３】
シリンダ錠の合鍵とリモコンとを対等に結合するのではなく、リモコンを大きくしてその内側に合鍵を収納する、という発想の転換により、リモコンの使い勝手を向上させると共に、プリント基板を電池ホルダーの一部とする構造を採ることにより電装品をコンパクトにすることができた。
【実施例１】
【００１４】
以下、本発明の一実施例を図面を参照して説明する。
図１及び図２は中ケース１の一面及び他面を夫々示し、図１に示す一面側には、図３乃至図５に示す遠隔施解錠器の電装品を組み付けたプリント基板２が例えば嵌め込みにより装着される。
【００１５】
ちなみに、図４及び図５において符号３は電波発信機の制御を行うマイクロコンピュータを、符号４は電池を、符合５は解錠スイッチを、符号６は施錠スイッチを、符号７は施解錠状態を表示する例えばＬＥＤなどの発光素子を夫々示す。
【００１６】
ところで、本発明によるリモコンにおいては、電池の交換を容易にすると共に、電池ケースの厚みをできるだけ小さくするために電池ケースの構造に少し工夫が凝らしてある。
【００１７】
すなわち、図５に示すように、電池４はプリント基板２の内２面側に配設されており、この電池４をプリント基板に着脱可能に固定するため、図５及び図６に示すように電池ホルダー８が用いられている。
【００１８】
この電池ホルダー８は、図６に示すように、少なくとも１個の接触片９（図示の実施例では２個）を一面側に切り起こした脊板１１と、この脊板１１の両側端縁に一体に、かつ接触片９、９と同方向に折り曲げられて脊板１１と直角な一対の袖板１２、１２と、これら一対の袖板１２、１２の夫々の中央部に突設された差込片１３（図５参照）と、脊板の上端及び下端縁の一方（図示の実施例では上端）に一体に接続され、かつ袖板と同方向に折り曲げられた、すなわち脊板１１に直角な関係角度でこれに結合されたストッパー片１４（図５参照）とを有してなる。
【００１９】
上記のように構成された電池ホルダー８は、図３及び図５に示すように、上記一対の差込片１３、１３の夫々を、プリント基板２の内面側（図６で右側）から、プリント基板の側端縁上端部に形成された切欠１５、１５（図４参照）の内の対応するものに差し込み、その先端部をプリント基板２の外面側に突出させると共に、各差込片をプリント基板外面方向に折り曲げる（図示せず）。
【００２０】
なお、図示の実施例では、上記切欠１５の内側、及びプリント基板２の内面における切欠１５の近傍に、図４及び図６に示すように、例えば正電極１６が形成されている。なお、図６において電池４の手前側の面が正電極であるものとする。
【００２１】
また、図７に示すように、プリント基板２の内面側の隅部には負電極１７、１７が形成されている。
【００２２】
ちなみに、図７において正電極１６、１６、負電極１７、１７の内側の逆Ｕ字形のハッチング部はプリント基板の電極パターンを示す。
【００２３】
前記したように切欠１５に差し込まれてからプリント基板２の外面方向に折り曲げられた各差込片１３の先端部は、プリント基板２の外面側に形成された正電極１６に半田付けされる。
【００２４】
図示の実施例においては、プリント基板２の内面側において正電極１６に接合する袖板１２の端縁部もやはり正電極１６に半田付けされている。
【００２５】
一方、図６に示すように、プリント基板２の内面と電池４との間に、全体の形状が兎の頭のような形状の陰極板１８が挿設されており、そのウサギの耳の先端に相当する部分は上記負電極１７に半田付けされている。
【００２６】
上記のように構成された電池ホルダー８は、陰極板１８とプリント基板２の内面との間に絶縁シートを介在させた状態で、電池４を図６で矢印ａ方向に沿って例えば下方から電池ホルダー８内に挿入する。
【００２７】
すると、電池４は前記接触片９、９を押し撓めつつ上昇し、ストッパー片１４に衝接して停止する。
【００２８】
このように電池ホルダー８内に挿入された電池は、接触片の厚さ、長さ及び折り曲げ角度を適切に設定することにより、接触片との接触抵抗を最小にした状態で、円滑に、換言すれば機械的な接触抵抗を小さくして電池ホルダー８内に出し入れできる。
【００２９】
また、プリント基板そのものを電池ケースの一部としているので、電池ケースの厚さを最小にすることができ、その分電池の容量を大きくすることができる。
【００３０】
上記のように構成されたプリント基板２は、図１及び図３に示す位置関係を保って、中ケース１の一面側の中仕切枠１９（図１参照）より下方の凹陥部に嵌め込まれる。
【００３１】
上記中仕切枠１９は、後述する紐通し穴２１より下方に形成されており、後記第１及び第２シェルの装着時、これらシェルの嵌着には支障がないように設計されている。
【００３２】
ちなみに、図２に示すように、中ケース１の他面側にはシリンダ錠の合鍵（図示せず）を嵌め込んで準安定的に固定する収納部２２が形成されている。
【００３３】
上記のようにして中ケース１の一面側に嵌め込まれたプリント基板２を覆うように、浅い箱状でエラストマー材からなるパッキン２３（図８及び図９参照）が装着される。
【００３４】
図示の実施例では、パッキン２３の開口端縁を保つ幅が狭い側面部を上記中仕切枠１９、及び中ケース１の一面側に突設された突堤部１９ａに外側からかつ弾性的に係合させるようにして、パッキン２３が中ケースに装着される。
【００３５】
なお、図８において符号２４はＬＥＤの点灯確認用の透明部である。
【００３６】
ちなみに、図８及び図９に示すように、パッキン２３には施錠釦２５及び解錠釦２６が夫々パッキンの厚さ方向に移動可能に形成されている。
【００３７】
そして、これら施解錠釦２５、２６は、後述する第１シェル２７（図１０及び図１１参照）の開口から外部空間に露呈しており、リモコン操作時、解錠或いは施錠釦を押動することにより、施解錠釦２５、２６がパッキンの厚さ方向に弾性変形し、その内面側に突設された付番しない突部が前記施解錠スイッチ５、６（図４参照）を押動してリモコンを作動させる。
【００３８】
他方、上記中ケース１の一面側を覆うように装着される第１シェル２７は、図１０及び図１１に示すように、厚肉板の内面の肉を盗んで浅い箱状に形成された部材で、例えば硬質の合成樹脂材料から構成されている。
【００３９】
第１シェル２７は、その開口端縁を例えば中ケース１の外辺に接合させるようにして、例えば嵌着により、中ケースに一体的にかつ取り外し可能に装着されている。
【００４０】
そのため、図示の実施例では、例えば図１２に示す第１シェル２７の内面下端部に形成された第１係合突部２８を、中ケース１の下端部一面側に形成された付番しない係合部に引掛け、図１２に示す第２係合突部２９を中ケースの上端一面側に形成された付番しない係合凹部にパチンと嵌め込む。
【００４１】
同様にして第２シェル３１（図１３参照）を中ケース１の他面側を覆うように装着すれば、図１４に示すように、遠隔施解錠器が組立つ。
【００４２】
なお、紐通し穴２１（図１３及び図１４参照）の構成については、図面から明らかであるから、更に詳細な説明は省略する。
【符号の説明】
【００４３】
１  中ケース
２  電装品
３  マイクロコンピュータ
４  電池
５  解錠スイッチ
６  施錠スイッチ
７  ＬＥＤ
８  電池ホルダー
９  接触片
１１  背板
１２  袖板
１３  差込片
１４  ストッパー片
１５  切欠
１６  正電極
１７  負電極
１８  陰極板
１９  中仕切枠
２１  紐通し穴
２２  収納部
２３  パッキン
２４  透明部
２５  施錠釦
２６  解錠釦
２７  第１シェル
２８  第１係合部
２９  第２係合部
３１  第２シェル
【図１】
2012021287.tif 000003
【図２】
2012021287.tif 000004
【図４】
2012021287.tif 000005
【図５】
2012021287.tif 000006
【図６】
2012021287.tif 000007
【図７】
2012021287.tif 000008
【図８】
2012021287.tif 000009
【図９】
2012021287.tif 000010
【図１０】
2012021287.tif 000011
【図１１】
2012021287.tif 000012
【図１２】
2012021287.tif 000013
【図１３】
2012021287.tif 000014
【図１４】
2012021287.tif 000015
【図３】
2012021287.tif 000016